(57)【要約】【課題】  従来の田植機は、車速が速くなるほど圃場面からの浮力が大きくなって浮き上がる。  そのため、従来の田植機においては、植付部のフロートと植付爪の間隔を制御して、フロートが浮き上がり傾向になっても、苗の植付深さが浅くなることを防止して適切な深さに植え付けるようにしている。  しかしながら、従来の田植機が、車速を高速に保ったまま圃場の水量が少ない浅い部分に差し掛かると、苗を適切に圃場に植え付けることができなくなる問題がある。【解決手段】  植付爪の植深さ制御を停止するための停止手段の一例として、左右姿勢制御スイッチ部１２０に設けられる左右傾斜スイッチ１２１を用いる。つまり、左右傾斜スイッチ１２１に左右方向の自動姿勢制御の停止手段として兼用するのである。【選択図】図４
2006223215.tif 000002
【特許請求の範囲】
【請求項１】
車速に基づいて植付爪の植深さ制御を行う田植機において、
該植付爪の植深さ制御を停止するための停止手段を具備し、該停止手段は他の操作手段と兼用して設けたことを特徴とする田植機。
【請求項２】
前記停止手段によって停止した前記植付爪の植深さ制御の状態を記憶する記憶手段を具備してなる請求項１記載の田植機。
【請求項３】
前記停止手段が所定時間以上継続して操作された場合に、前記植付爪の植深さ制御を停止してなる請求項１又は請求項２のいずれかに記載の田植機。
【請求項４】
前記停止手段が所定の時間操作された場合に、前記停止手段が操作されていることを報知する報知手段を設けてなる請求項１から請求項３記載のいずれかに記載の田植機。
【請求項５】
圃場状態設定手段を設け、所定の状態に設定した場合には、前記停止手段による前記植付爪の植深さ制御の停止操作を無効にしてなる請求項１から請求項４のいずれかに記載の田植機。
【請求項６】
前記停止手段が、前記植付部の左右方向の姿勢制御を手動に切り替えるためのスイッチを兼用してなる請求項１から請求項５のいずれかに記載の田植機。
【発明の詳細な説明】
【技術分野】
【０００１】
本発明は、苗を圃場に植え付ける際に、植付爪の植深さ制御を行う田植機に関するものである。
【背景技術】
【０００２】
従来より、圃場面と植付部の植付爪との間隔を適切に保つために、植付爪の植深さ制御を行う田植機がある。
これは、圃場面の凹凸や田植機の車速等に応じて、苗を圃場に適切に植え付けるために自動的に植付爪の植深さ制御するものである。
このような、苗の植付深さの制御を行う田植機の一例としては、下記特許文献１に示すようなものがある。
【特許文献１】特開２０００−１５７０１８号公報
【発明の開示】
【発明が解決しようとする課題】
【０００３】
しかしながら、上記特許文献１に示されるような田植機は、上述のような植付爪の植深さ制御を行うものの、以下の点では不都合が発生する場合がある。
例えば、水面または泥（圃場）上を走行するフロートは、田植機の車速が速くなるほど水面または泥面からの浮力が大きくなって浮き上がる。そのため、上記特許文献１に示されるような田植機においては、植付部のフロートと植付爪の間隔を制御して、フロートが浮き上がり傾向になっても、苗の植付深さが浅くなることを防止して適切な深さに植え付けるようにしている。
しかしながら、上記従来の田植機が、車速を高速に保ったまま圃場の水量が少ない浅い部分に差し掛かると苗を適切に圃場に植え付けることができなくなる問題がある。
これは、圃場の水量が浅い部分においては、フロートの下面に流れ込む水量が減少して浮力も低下するので、上述のように植付部のフロートと植付爪の間隔の制御（この場合は大きくする）を行うと、苗を深く植え過ぎてしまう問題等が発生してしまう。
即ち、車速に基づいて植付爪の植深さ制御を行っても、適切な深さに苗を圃場に植え付けることができない場合がある。
【課題を解決するための手段】
【０００４】
本発明の解決しようとする課題は以上の如くであり、次にこの課題を解決するための手段を説明する。
【０００５】
請求項１においては、車速に基づいて植付爪の植深さ制御を行う田植機において、該植付爪の植深さ制御を停止するための停止手段を具備し、該停止手段は他の操作手段と兼用して設けたものである。
【０００６】
請求項２においては、前記停止手段によって停止した前記植付爪の植深さ制御の状態を記憶する記憶手段を具備するものである。
【０００７】
請求項３においては、前記停止手段が所定時間以上継続して操作された場合に、前記植付爪の植深さ制御を停止するものである。
【０００８】
請求項４においては、前記停止手段が所定の時間操作された場合に、前記停止手段が操作されていることを報知する報知手段を設けるものである。
【０００９】
請求項５においては、圃場状態設定手段を設け、所定の状態に設定した場合には、前記停止手段による前記植付爪の植深さ制御の停止操作を無効にするものである。
【００１０】
請求項６においては、前記停止手段が、前記植付部の左右方向の姿勢制御を手動に切り替えるためのスイッチを兼用するものである。
【発明の効果】
【００１１】
本発明の効果として、以下に示すような効果を奏する。
【００１２】
請求項１の構成により、田植機が圃場面で水量が少ない浅い部分に差し掛かった場合に、操作者は停止手段を操作することで、植付爪の植深さ制御を停止させることが可能となって、苗の深植えの問題を解消することが可能となる。そして、この植付爪の植深さ制御を停止させる操作は他のスイッチと兼用しているので、部品点数を削減できコスト低減化が図れる。
【００１３】
請求項２の構成により、操作者が植付爪の植深さ制御を停止させた状態で田植機のエンジンをＯＦＦにしても、田植機の状態を記憶手段に記憶しておくことで、エンジンを再起動した際に記憶手段の内容を読み込むことで、エンジンをＯＦＦにする直前の状態から田植機を始動することが可能となる。
【００１４】
請求項３の構成により、不意に停止手段を操作した場合や停止手段内部のショート等によって簡単に植付爪の植深さ制御を停止させないようにすることができる。
【００１５】
請求項４の構成により、植付部の左右方向の姿勢制御が手動操作の状態にあるのか、或いは、植付爪の植深さ制御が停止状態にあるのか等の田植機の状態に関する情報を操作者に伝達することが可能となり、どの制御状態かが容易に認識でき操作間違いも防止できる。
【００１６】
請求項５の構成により、圃場状態設定手段で、苗が浅植えの傾向になりやすい圃場状態等に設定した場合おいて、植付爪の植深さ制御を停止する操作ができなくなり、誤って操作しても苗の植付が適切に行われ、浮き苗等が発生することを防止することができる。
【００１７】
請求項６の構成により、植付部の左右方向の姿勢制御の手動操作と、植付部の植深さ制御の停止手段の機能と、を左右方向の姿勢制御を手動に切り替えるスイッチで兼用することが可能となるので、操作部のスイッチ等を少なくでき、田植機の製造コストを抑制することができる。
【発明を実施するための最良の形態】
【００１８】
以下、添付図面を参照しながら、本発明を実施するための最良の形態について説明し、本発明の理解に供する。尚、以下の本発明を実施するための最良の形態は、本発明を具体化した一例であって、本発明の技術的範囲を限定する性格のものではない。
図１は本発明を実施するための最良の形態に係る乗用田植機の全体平面図、図２は図１に示す乗用田植機の側面図、図３は操向ハンドル１４近傍の操作系の主要部を抽出した斜視図、図４は制御系の概略構成を示したブロック図、図５は左右姿勢制御スイッチ部１２０を示す図、図６は車速と爪出量との関係を示す図、である。
【００１９】
＜全体構成＞
先ず、本発明を実施するための最良の形態に係る田植機の全体構成について、図１及び図２を用いて説明する。
ここで説明する田植機１は、例えば８条植えの乗用田植機とし、機体の後部に昇降リンク機構２７を介して植付部４を装着している。
また、車体フレーム３の前部上方にエンジン２を搭載し、前下部にフロントアクスルケース６ａを介して前輪６を支持するとともに、後部にリアアクスルケース８ａを介して後輪８を支持している。
上記エンジン２はボンネット９に覆われ、該ボンネット９の両側に予備苗載台１０・１０を配設し、該ボンネット９の後部のダッシュボード５上に操向ハンドル１４を配置している。
該ボンネット９の両側とその後部の車体フレーム３上は車体カバー１２で覆われている。
操向ハンドル１４の後方位置には座席１３を配置し、ボンネット９の両側と座席１３の前部、座席１３の左右両側、及び座席１３の後方をステップとしている。
【００２０】
＜植付部４＞
田植機１の後部に設けられる植付部４には、ここでは８条分の苗載台１６が設けられ、植付爪支持部となる植付伝動ケースの後部に設けるロータリーケース２２・２２・・・や該ロータリーケース２２に取り付けられる植付爪や、センターフロート３４や、サイドフロート３５等が設けられている。
前記苗載台１６は前高後低に配設して、苗載台１６の下部は下ガイドレール１８、前面の上部は上ガイドレール１９によって左右往復摺動自在に支持されている。
この下ガイドレール１８及び上ガイドレール１９は、植付センターケース２０や植付フレーム２３等を介して支持されている。
また、植付センターケース２０より左右両側方へ連結パイプ（不図示）を突設して、伝動ケース（不図示）を固設し、該伝動ケースを平行に後方へ突出させて、該伝動ケースの後部両側に一方向に回転させるロータリーケース２２・２２・・・を配置し、該ロータリーケース２２・２２・・・に植付爪を設けている。
尚、ロータリーケース２２・２２・・・は、１条分の苗載台１６に対して１組配設されるので、上記８条用の田植機の場合には８つ設けられている。
更に、前記植付センターケース２０の前部にはローリング支点軸を介して前記昇降リンク機構２７と連結され、該昇降リンク機構２７はトップリンク２５やロワーリンク２６等より構成され、座席１３下方に配置したアクチュエータと油圧シリンダとからなる昇降シリンダ（不図示）によって植付部４を昇降できるようにしている。
また、センターフロート３４及びサイドフロート３５等のフロートは、植深さモータ８４（図４参照）によって上下方向に制御される構成となっているので、植深さモータ８４を作動させることで、フロートとロータリーケース２２との上下方向の間隔を変更することが可能となっている。
つまり、ロータリーケース２２に設けられる植付爪のフロートに対する圃場面側への突出量を制御することが可能となっている。
更に、該突出量を検出する植深さセンサ８５（図４参照）も設けられ、制御部１００に接続されている。
このように構成されているので、植深さセンサ８５の検出結果に基づいて植深さモータ８４を作動させることで、フロートと植付爪との間隔を苗の植付作業に適した間隔に保つことで、苗の植付作業をスムーズに行うことが可能となる。
左右両側方の苗載台１６の下方に設けられるパイプにはマーカ３６・３６設けられており、該パイプを回動させることでマーカ３６・３６を左右両側へ突出させることが可能となり圃場にマーキングが可能となる。
【００２１】
＜操作部＞
また、図１及び図２においては図面の縮尺の関係上明示していないが、ダッシュボード５の近傍は、詳しくは図３に示すようなレバーやスイッチ等の操作部９０が設けられている。
図３に示すように、ダッシュボード５の後部側（座席１３側）で左右方向の中央部分には操向ハンドル１４が設けられ、該操向ハンドル１４近傍には植付部４の植付作業に関わるスイッチ類とレバー類が配設されている。
このスイッチ類としては、植付深さ設定ＳＷ６１と圃場状態設定手段の一例である圃場硬度設定ＳＷ６２と作業選択ＳＷ６３と苗継ＳＷ６４が配置されている（ここで、「ＳＷ」とは「スイッチ」を意味している。以下同様）。
植付深さ設定ＳＷ６１は、苗を圃場に植え付ける際の植付深さを設定するためのボリューム式のスイッチである。
圃場硬度設定ＳＷ６２は、操作者が知り得た圃場の硬度を設定入力するためのボリューム式のスイッチである。即ち、乗用田植機に該圃場の状況に応じた作業が行えるように設定するためのスイッチであり、圃場の状況の例としては「標準」、「深水」、又は「枕地」等がある。
「標準」とは、当該乗用田植機が植付作業を行う場合に特別な制御を実行せずに行える標準的な圃場であることを意味している。（標準モード）
「深水」とは、上記標準と比較して圃場の水量（深さ）が多い場合を意味している。（深水モード）
「枕地」とは、上記標準と比較して圃場の水量（深さ）が少ない場合、或いは、圃場の中央部分と比較して圃場の状況が悪い（凹凸が多い等）場合等を意味している。（枕地モード）
作業選択ＳＷ６３は、田植機１で行う作業を選択するためのスイッチであり、作業例としては苗の植付作業や、植付作業を行わずに走行すること等である。
苗継ＳＷ６４は、ワンタッチで苗継ぎが行い易いように植付部４を最上部まで上昇させることなく、その上昇を予め定められる苗継作業用の低い位置で自動的に停止させるためのスイッチである。
上記レバー類としては、操向ハンドル１４に対して、ダッシュボード５の左側の近傍には主変速レバー９４等の操作領域９０ｂが設けられ、他方、操向ハンドル１４に対して、ダッシュボード５の右側の近傍にはクルーズコントロールレバー９２、アクセルレバー９３、ユーザによって植付部４を手動で昇降操作するための昇降レバー９１等の操作領域９０ａが設けられている。
上記操作領域９０ａ・９０ｂには、図３に示すように、上記各々のレバーの揺動範囲や保持位置を規定するガイド溝９１ａ・９２ａ・９３ａ・９４ａが設けられている。
また、操作領域９０ａ・９０ｂは、図３に示すようにダッシュボード５とは分離された部材よりなるものであってもよいし、或いは、ダッシュボード５と一体に形成されるものであってもよい。
また、ダッシュボード５の下部の座席１３側面には、エンジン２を始動入力するためのキーＳＷ６５が設けられている。
【００２２】
＜制御系の構成＞
例えば、図４に示すように、乗用田植機の全体制御を司る制御部１００には、植付深さ設定ＳＷ６１、圃場硬度設定ＳＷ６２、作業選択ＳＷ６３、苗継ＳＷ６４、キーＳＷ６５、センターフロート３４等の角度変化を検出する角度センサ８０、植付部の左右傾斜センサ３００、植付部４を昇降する昇降シリンダを駆動する昇降シリンダ駆動部２００、田植機１の車速を検知するための車速センサ８３等が接続されている。
更に、制御部１００には、モニタランプ部１１０及び左右姿勢制御スイッチ部１２０が接続されている。
上記制御部１００は、上記各部（スイッチ、センサ等）より取得した情報と、当該制御部１００に予め設定記憶された内容とに基づいて、乗用田植機の全体を制御している。
また、該制御部１００は、上述したように乗用田植機の全体を制御する機能を有すれば足りるので、その機能を制限しない箇所であれば乗用田植機上の如何なる箇所に設けられても良い。
また、昇降シリンダ（不図示）、昇降リンク機構２７、昇降シリンダ駆動部２００等に昇降シリンダ等の高さ、伸縮、傾き等の情報を検出する位置センサ８１を設けても良い。
即ち、位置センサ８１は、昇降シリンダ等の伸縮、植付部の位置等の情報を検出するものである。そして、制御部１００に、植付部４の位置を検出するための位置センサ８１を接続している。
また、図示しない田植機本機の前後方向の傾斜角度を検出するための傾斜センサや、エンジンの回転数等を検出するためのセンサ等の各種センサやこのセンサからの値に基づいて作動するアクチュエータも接続される。
また、既に上述した、植深さモータ８４及び植深さセンサ８５も制御部１００に接続されている。
したがって、制御部１００は、植深さセンサ８５の検出結果に基づいて植深さモータ８４を作動させることで、フロートと植付爪との間隔（即ち、植付爪の爪出量）を適切に保って植付作業を適切に保つことが可能となる。
このような、フロートと植付爪との間隔の制御を本実施の形態においては、単に「植付爪の植深さ制御」と称することとする。
【００２３】
＜モニタランプ部１１０、左右姿勢制御スイッチ部１２０＞
ところで、上記モニタランプ部１１０は、図１、図３、図５に示すようにダッシュボード５に設けられている。
尚、図５は左右姿勢制御スイッチ部１２０とモニタランプ部１１０等との位置関係を簡単に示したもので、ダッシュボード５等の記載を省略している。
該モニタランプ部１１０は、田植機１の状態、操作部９０の操作状況をランプ等で表示することによって、田植機１の操作者等の外部に対して報知する報知手段の一例である。
また、上記左右姿勢制御スイッチ部１２０は、本実施例では図５に示すように操向ハンドル１４のハンドル軸１４ａよりも前方側に設けている。また、このモニタランプ部１１０にスピーカ等を内蔵させることによって、ランプ表示だけでなく音声や断続音等によっても外部へ報知することが可能となる。
この左右姿勢制御スイッチ部１２０は、植付部の左右方向の自動の姿勢制御に関する操作部である。
この左右姿勢制御スイッチ部１２０には、左右傾斜スイッチ１２１と傾斜ボリュームスイッチ１２２が設けられている。
左右傾斜スイッチ１２１は、常時中立位置に付勢されるものであって、該中立位置で植付部４の左右方向の自動姿勢制御を行う状態となり、他方、左又は右に押されることで植付部４を手動で左又は右に傾斜させるためのスイッチの一例である。
この左右傾斜スイッチ１２１は以下のような理由で設けられている。
田植機１は圃場の凹凸によって機体が左右に傾くため、植付部４による苗の植付作業を適切に行うために、通常の作業状態では植付部４が圃場面に対して左右方向において、略水平となるように、左右方向の自動制御を行っている。
しかしながら、圃場は全て均平な水平状態にすることはできないので、部分的に傾斜した部分ができ、この左右方向の自動姿勢制御に拠らず手動操作によりその傾斜に合わせるように左右姿勢制御スイッチ部１２０の左右傾斜スイッチ１２１を操作するのである。
また、傾斜ボリュームスイッチ１２２は、植付部４の左右方向の自動姿勢制御を行う場合において、植付部４の左右方向の基本制御姿勢を定めるものである。
例えば、傾斜ボリュームスイッチ１２２が図５に示すようにセットされている場合には、植付部４は左右方向において略水平となるように制御される。
他方、進行方向に対して圃場面が右または左が浅くなっている場合には、傾斜ボリュームスイッチ１２２をその圃場面の傾斜に合わせて、左下側又は右下側に回動してセットし、植付部４を左右方向において左下又は右下に傾く状態を基本姿勢として、自動制御する。
【００２４】
＜停止手段＞
ところで、上述した植付爪の植深さ制御も状況によっては、その自動制御を停止させた方がよい場合がある。
このような状況としては、例えば、高速植付作業において、田植機は、フロートの浮き上がりが生じた場合に、苗の植付深さが浅くなることを防止するように、フロートと植付爪の間隔を大きくする制御を行っているが、水量が少ない浅い部分に差し掛かると、浮力が低下するので、苗を圃場面へ深く植え付けてしまう問題がある。
そこで、圃場面において水量が少なく浅い部分に差し掛かった場合に、植付爪の植深さ制御を停止させて植付作業を行うほうが所定の深さに植え付けることができる。
これに対応するため、植付爪の植深さ制御を停止するための停止手段の一例として、前記左右傾斜スイッチ１２１を用いる。
つまり、他の機能を有する左右傾斜スイッチ１２１等の操作手段を上記停止手段として兼用するのである。
このように構成することで、田植機１が圃場面で水量が少ない浅い部分に差し掛かった場合に、操作者は停止手段の一例である左右傾斜スイッチ１２１を操作することで、植付爪の植深さ制御を停止させることが可能となって、苗の深植えの問題を解消することが可能となる。
また、左右傾斜スイッチ１２１に上記停止手段の機能を具備させることで、植付部４の左右方向の姿勢制御の手動操作と、植付爪の植深さ制御の停止手段の機能と、を左右傾斜スイッチ１２１で兼用することが可能となるので、操作部のスイッチ等を少なくでき、田植機の製造コストを抑制することができる。
また、左右傾斜スイッチ１２１で植付爪の植深さ制御の停止が可能な状況としては、田植機１の左右方向の姿勢制御が手動操作されていない場合である。
即ち、左右傾斜スイッチ１２１が、専ら田植機１の左右方向の姿勢制御のために手動操作されている場合には、植付爪の植深さ制御を停止させるための停止手段としては機能しないようにする。
このように構成することで、植付部４の左右方向の姿勢制御が左右傾斜スイッチ１２１によって手動操作されている最中に、植付爪の植深さ制御を不意に停止させてしまうような事態を回避することができる。
【００２５】
＜長押し＞
この場合に、左右傾斜スイッチ１２１を、左右方向の姿勢制御を手動操作する機能として、或いは、植付爪の植深さ制御の停止手段として機能として、の使い分けは、例えば以下のように行うことができる。
左右傾斜スイッチ１２１は手動優先とされているので、例えば、単に操作者によって左右傾斜スイッチ１２１が押された場合には、植付部４の左右方向の自動姿勢制御から手動制御に切り換わって、田植機１の植付部４を押された側へ傾ける。
他方、操作者によって左右傾斜スイッチ１２１が所定時間継続して押された場合には、植付爪の植深さ制御を停止させる。
即ち、所定時間以上継続して左右傾斜スイッチ１２１が「長押し」操作された場合には、制御部１００は操作者が植付爪の植深さ制御を停止しようとしていると判断し、植付爪の植深さ制御を停止させるのである。
また、この所定時間としては、例えば数秒（３秒程度）程度として設定することができる。
このように所定時間以上継続して左右傾斜スイッチ１２１が操作されたか否かを判断することで、植付爪の植深さ制御を停止させることが可能となる。
また、上述の場合と異なり、停止手段としてのスイッチが独立して設けられる場合においては、停止手段としてのスイッチを長押しすることによって、植付爪の植深さ制御を停止できるので、不意に該スイッチを押した場合やスイッチ回路のショート等によって簡単に植付爪の植深さ制御を停止させないようにすることもできる。
尚、報知手段の一例であるモニタランプ部１１０に、植付爪の植深さ制御が停止中である旨を表示することもできる。
このように構成することで、植付爪の植深さ制御が停止状態にあるのか等の田植機１の状態に関する情報を操作者に伝達することが可能となる。
【００２６】
＜記憶手段＞
また、田植機１の制御部１００は、停止手段の一例である左右傾斜スイッチ１２１の操作によって停止された植付爪の植深さ制御の状態を記憶する記憶手段の機能を具備している。
この記憶手段とは、例えばＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）で構成することが可能で、このようなＥＥＰＲＯＭが制御部１００に含まれている。
このように構成されているので、例えば、操作者が植付爪の植深さ制御を停止させた状態で田植機１のエンジン２をＯＦＦにしても、田植機１の状態をＥＥＰＲＯＭに記憶することで、制御部１００がエンジン２を再起動した際にＥＥＰＲＯＭの内容を読み込むことでエンジン２をＯＦＦにする直前の状態から田植機１を始動することが可能となる。
【００２７】
＜操作無効＞
また、田植機１の作業状態が所定の状態である場合には、停止手段の一例である左右傾斜スイッチ１２１によって植付爪の植深さ制御の停止操作を無効にする処理を行うこともできる。
ここで、上記所定の状態としては、例えば圃場硬度設定ＳＷ６２によって「深水」又は「枕地」のモードが選択されている状態とする。
この場合に、制御部１００は、上記所定の状態を圃場硬度設定ＳＷ６２の設定位置によって認識する。
そして、制御部１００は、該圃場硬度設定ＳＷ６２が「標準」以外の「深水」又は「枕地」に設定されている場合には、左右傾斜スイッチ１２１が所定時間継続して操作されて植付爪の植深さ制御の停止操作がなされても、その停止操作を無効とする。
このような処理が行われることによって、苗が浅植えの傾向になりやすい状況である「深水」や「枕地」等のモードの作業状態において、植付爪の植深さ制御が停止して苗の植付が適切に行われずに、浮き苗が発生する等の問題を回避することが可能となる。
【００２８】
＜爪出量＞
次に、従来の田植機と本発明の田植機において、植付爪の植深さ制御を行った場合と停止させた場合との爪出量について図６を用いて説明する。
植付爪の植深さ制御において圃場面側への苗の植付深さ（ロータリーケース２２に取り付けられる植付爪のフロートに対する圃場面側への爪出量）は、従来は図６の実線に示すように車速に応じて大きくなるように制御が行われていた。
例えば、図６に示すような例の場合においては、田植機１の車速が０．２［ｍ／ｓ］以上になった場合に、制御部１００は、植深さモータ８４を駆動することによってフロートに対する植付爪の爪出量（突出量）を大きくする制御を行う。
つまり、このような制御が行われるため、高速で苗の植付作業を行う場合におけるフロートの浮き上がりが生じても適正な植深さを保つことが可能となるが、反面、圃場上で水量が少ない箇所又は浅い部分に田植機１が差し掛かった場合に、苗の植付が深くなり過ぎてしまう問題点があったのである。
そこで、上述したように、停止手段の一例である左右傾斜スイッチ１２１を操作することによって、植付爪の植深さ制御を任意に停止させることが可能となる。
この場合に、植付爪の植深さ制御を停止させた場合には、制御部１００は、例えば図６の１点鎖線で示すように、田植機１の車速に関わらず爪出量が０［ｍｍ］となるように制御する。
このように制御することによって、田植機１が圃場上で水量が少ない箇所等に差し掛かっても、苗を深く植え付け過ぎることなく適切に植え付けることが可能となる。
【図面の簡単な説明】
【００２９】
【図１】本発明を実施するための最良の形態に係る乗用田植機の外観を示す概略構成図。
【図２】図１に示す乗用田植機の側面図。
【図３】操向ハンドル１４近傍の操作系の主要部を抽出した概略構成図。
【図４】制御系の概略構成を示したブロック図。
【図５】左右姿勢制御スイッチ部１２０を示す図。
【図６】車速と爪出量との関係を示したグラフ。
【符号の説明】
【００３０】
１  田植機
２  エンジン
３  車体フレーム
１００  制御部
１１０  モニタランプ部
１２０  左右姿勢制御スイッチ部
【図１】
2006223215.tif 000003
【図２】
2006223215.tif 000004
【図３】
2006223215.tif 000005
【図４】
2006223215.tif 000006
【図５】
2006223215.tif 000007
【図６】
2006223215.tif 000008